(57)【要約】      （修正有）【課題】液晶表示パネルの周縁部に加わる応力を低減、解消してその表示品質が劣化することを抑えることができる液晶表示装置を提供する。【解決手段】液晶表示装置は、一端が開口端とされている凹状の容器１と、その容器１の底面に載置され固定されたバックライト装置１２と、平面視で容器１の内側に伸びるとともに容器１の開口端を覆うつば部１１ｃを有して容器１の側壁１ａの係止部１ｂに側壁部１１ａが取り付けられた枠体１１と、つば部１１ｃを支持する支持部材４と、バックライト装置１２側の面の中央部が液晶表示パネル５に接合されているとともに周縁部がつば部１１ｃに接合されている透明保護板７と、を有しており、枠体１１は、平面視でつば部１１ｃによって構成された開口が液晶表示パネル５の外形の外側にあり、液晶表示パネル５は、バックライト装置１２との間に隙間Ｇを有している。【選択図】図１
2016099614.tif 000002
【特許請求の範囲】
【請求項１】
一端が開口端とされている凹状の容器と、その容器の底面に載置されたバックライト装置と、平面視で前記容器の内側に伸びるとともに前記容器の開口端を覆うつば部を有して前記容器の側壁の係止部に側壁部が係止された枠体と、前記つば部を支持する支持部材と、前記バックライト装置側の面の中央部が液晶表示パネルに接合されるとともに周縁部が前記つば部に接合されている透明保護板と、を有しており、前記枠体は、平面視で前記つば部によって構成された開口が前記液晶表示パネルの外形の外側にあり、前記液晶表示パネルは、前記バックライト装置との間に隙間を有している液晶表示装置。
【請求項２】
前記支持部材は前記隙間に入り込む延出部を有しており、前記延出部と前記液晶表示パネルの周縁部との間に緩衝部材がある請求項１に記載の液晶表示装置。
【請求項３】
前記支持部材は、前記容器の底面の端部に接する面及び前記つば部に接する面の少なくとも一方に、接触面積を小さくするための凹部を有している請求項１または請求項２に記載の液晶表示装置。
【請求項４】
前記透明保護板は、前記バックライト装置側の面の周縁部に、前記液晶表示パネルの周縁部から前記つば部にかけて遮光層を有している請求項１乃至請求項３のいずれかに記載の液晶表示装置。
【請求項５】
前記液晶表示パネルと前記透明保護板とを接合する接合材の厚みが０．３ｍｍ以下である請求項１乃至請求項４のいずれかに記載の液晶表示装置。
【請求項６】
第１の側壁部の一端に平面視で内側に伸びる第１のつば部を有する第１の枠体と、前記第１のつば部に周縁部が載置されて前記第１の側壁部に側面が対向しているバックライト装置と、平面視で前記第１の枠体の内側に伸びるとともに前記第１の枠体の他端側の開口端を覆う第２のつば部を有して前記第１の側壁部の係止部に第２の側壁部が係止された第２の枠体と、前記バックライト装置側の面の中央部が液晶表示パネルに接合されるとともに周縁部が前記第２のつば部に接合されている透明保護板と、を有しており、前記第２の枠体は、平面視で前記第２のつば部によって構成された開口が前記液晶表示パネルの外形の外側にあり、前記液晶表示パネルは、前記バックライト装置との間に隙間を有している液晶表示装置。
【発明の詳細な説明】
【技術分野】
【０００１】
本発明は、バックライト装置と液晶表示パネルとカバーガラス等の透明保護板とを有する液晶表示装置（Liquid  Crystal  Display  ：ＬＣＤ）に関するものである。
【背景技術】
【０００２】
従来のＬＣＤの１例について基本構成の断面図を図４に示す。図４に示すように、上側が外部に開放された開口端となっている、アルミニウム（Ａｌ），亜鉛（Ｚｎ）メッキ鋼材等から成る凹状の容器２１の底面に導光板２２が載置され、両面接着テープ等によって容器２１の底面に接合されている。バックライト装置３１は、導光板２２と、導光板２２上に載置された、レンズ状突起あるいはビーズ状突起を多数有するレンズ（ビーズ）拡散シート、及び反射型偏光性フィルム（Dual  Brightness  Enhancement  Film）等から成る光再利用シートとしての光学シート２３と、を含んで成る。バックライト装置３１上に間隔をあけて液晶表示パネル２５が設置されている。容器２１の側壁21aの外側面に枠体３０の側壁部30aの内側面が接着、ネジ止め等の手段によって取り付けられており、枠体３０の上端に平面視で容器２１の内側に伸びるようにつば部30bが形成されている。容器２１の底面の端部にあって、枠体３０のつば部30bの根元部を支持するための樹脂等から成る支持部材２４が、容器２１の内部に設置されている。液晶表示パネル２５の透明保護板２７側の面（表示側の面）の周縁部は、粘着層２８によって枠体３０のつば部30bの先端部に接着され、液晶表示パネル２５の表示側の面の周縁部以外の部位は硬化した樹脂層２６によって透明保護板２７に接着されている。また、ガラス板等から成る透明保護板２７の液晶表示パネル２５側の面の周縁部と、枠体３０のつば部30bの先端部との間に、スペーサ２９が設けられている。（例えば、特許文献１を参照）
【０００３】
なお、バックライト装置３１は、位相差板、直線偏光板等を備えていている場合があり、液晶表示パネル３６は位相差板、直線偏光板、タッチパネル等を備えていている場合がある。
【先行技術文献】
【特許文献】
【０００４】
【特許文献１】特開２０１０−２１７３４０号公報
【発明の概要】
【発明が解決しようとする課題】
【０００５】
図４に示す上記従来のＬＣＤにおいては、液晶表示パネル２５は、その表示側の面の中央部が透明保護板２７に樹脂層２６によって接着されているとともに、表示側の面の周縁部が枠体３０のつば部30bに粘着層２８によって接着されている。その結果、液晶表示パネル２５の表示側の面の周縁部とそれ以外の部位（中央部）との境界部に応力が発生し、その境界部にコントラスト低下、白抜け等の表示品質の劣化が生じやすいという問題点があった。また、一般に金属等の硬質な材料から成る枠体３０のつば部30bが、液晶表示パネル２５の表示側の面の周縁部と透明保護板２７の液晶表示パネル２５側の面の周縁部との間に入り込んでいるために、その点においても液晶表示パネル２５の表示側の面の周縁部に応力が発生しやすいという問題点があった。
【０００６】
本発明は、上記の問題点に鑑みて完成されたものであり、その目的は、液晶表示パネルの周縁部に加わる応力を低減、解消してその表示品質が劣化することを抑えることである。
【課題を解決するための手段】
【０００７】
本発明の液晶表示装置は、一端が開口端とされている凹状の容器と、その容器の底面に載置されたバックライト装置と、平面視で前記容器の内側に伸びるとともに前記容器の開口端を覆うつば部を有して前記容器の側壁の係止部に側壁部が係止された枠体と、前記つば部を支持する支持部材と、前記バックライト装置側の面の中央部が液晶表示パネルに接合されるとともに周縁部が前記つば部に接合されている透明保護板と、を有しており、前記枠体は、平面視で前記つば部によって構成された開口が前記液晶表示パネルの外形の外側にあり、前記液晶表示パネルは、前記バックライト装置との間に隙間を有している構成である。
【０００８】
本発明の液晶表示装置は、好ましくは、前記支持部材は前記隙間に入り込む延出部を有しており、前記延出部と前記液晶表示パネルとの間に緩衝部材がある。
【０００９】
また本発明の液晶表示装置は、好ましくは、前記支持部材は、前記容器の底面の端部に接する面及び前記つば部に接する面の少なくとも一方に、接触面積を小さくするための凹部を有している。
【００１０】
また本発明の液晶表示装置は、好ましくは、前記透明保護板は、前記バックライト装置側の面の周縁部に、前記液晶表示パネルの周縁部から前記つば部にかけて遮光層を有している。
【００１１】
また本発明の液晶表示装置は、好ましくは、前記液晶表示パネルと前記透明保護板とを接合する接合材の厚みが０．３ｍｍ以下である。
【００１２】
また本発明の液晶表示装置は、第１の側壁部の一端に平面視で内側に伸びる第１のつば部を有する第１の枠体と、前記第１のつば部に周縁部が載置されて前記第１の側壁部に側面が対向しているバックライト装置と、平面視で前記第１の枠体の内側に伸びるとともに前記第１の枠体の他端側の開口端を覆う第２のつば部を有して前記第１の側壁部の係止部に第２の側壁部が係止された第２の枠体と、前記バックライト装置側の面の中央部が液晶表示パネルに接合されるとともに周縁部が前記第２のつば部に接合されている透明保護板と、を有しており、前記第２の枠体は、平面視で前記第２のつば部によって構成された開口が前記液晶表示パネルの外形の外側にあり、前記液晶表示パネルは、前記バックライト装置との間に隙間を有している構成である。
【発明の効果】
【００１３】
本発明の液晶表示装置は、一端が開口端とされている凹状の容器と、その容器の底面に載置されたバックライト装置と、平面視で容器の内側に伸びるとともに容器の開口端を覆うつば部を有して容器の側壁の係止部に側壁部が係止された枠体と、つば部を支持する支持部材と、バックライト装置側の面の中央部が液晶表示パネルに接合されるとともに周縁部がつば部に接合されている透明保護板と、を有しており、枠体は、平面視でつば部によって構成された開口が液晶表示パネルの外形の外側にあり、液晶表示パネルは、バックライト装置との間に隙間を有していることから、以下のような効果を奏する。即ち、枠体は、平面視でつば部によって構成された開口が液晶表示パネルの外形の外側にあることから、液晶表示パネルの透明保護板との接合部につば部が重ならないので、液晶表示パネルの周縁部につば部に起因する応力が発生しにくいものとなる。さらに、つば部と液晶表示パネルとの間に隙間があり、つば部の熱膨張による変形等が液晶表示パネルに直接伝わらないので、液晶表示パネルの周縁部につば部に起因する応力がより発生しにくいものとなる。また、枠体は、側壁部が容器の側壁の係止部に係止されているので、枠体が容器に強固に固着されておらず、バックライト装置等の構成部品に熱膨張等が発生した際にそれを若干吸収して、容器及び枠体に発生する応力を緩和することができる。また、液晶表示パネルとバックライト装置との間に隙間があるので、バックライト装置の発熱による熱膨張の影響を液晶表示パネルが直接受けないこととなる。従って、液晶表示パネルの周縁部に加わる応力を低減、解消してその表示品質が劣化することを抑えることができる。
【００１４】
本発明の液晶表示装置は、好ましくは、支持部材は前記隙間に入り込む延出部を有しており、延出部と液晶表示パネルの周縁部との間に緩衝部材があることから、液晶表示パネルが容器内で移動すること、位置ずれを起こすことを防ぐとともに、液晶表示パネルの周縁部に加わる応力を緩衝部材によって極めて小さくすることができる。
【００１５】
また本発明の液晶表示装置は、好ましくは、支持部材は、容器の底面の端部に接する面及びつば部に接する面の少なくとも一方に、接触面積を小さくするための凹部を有していることから、支持体からつば部に加わる応力を低減することができる。特に、小型化のためにつば部の幅を小さくした場合に有利である。
【００１６】
また本発明の液晶表示装置は、好ましくは、透明保護板は、バックライト装置側の面の周縁部に、液晶表示パネルの周縁部からつば部にかけて遮光層を有していることから、つば部を遮光部として用いる必要がなくなる。
【００１７】
また本発明の液晶表示装置は、好ましくは、液晶表示パネルと透明保護板とを接合する接合材の厚みが０．３ｍｍ以下であることから、１つの薄い接合材によって液晶表示パネルと透明保護板を接合することが可能となる。また、薄型化された液晶表示装置となる。
【００１８】
また本発明の液晶表示装置は、第１の側壁部の一端に平面視で内側に伸びる第１のつば部を有する第１の枠体と、第１のつば部に周縁部が載置されて第１の側壁部に側面が対向しているバックライト装置と、平面視で第１の枠体の内側に伸びるとともに第１の枠体の他端側の開口端を覆う第２のつば部を有して第１の側壁部の係止部に第２の側壁部が係止された第２の枠体と、バックライト装置側の面の中央部が液晶表示パネルに接合されるとともに周縁部が第２のつば部に接合されている透明保護板と、を有しており、第２の枠体は、平面視で第２のつば部によって構成された開口が液晶表示パネルの外形の外側にあり、液晶表示パネルは、バックライト装置との間に隙間を有していることから、以下のような効果を奏する。即ち、第２の枠体は、平面視で第２のつば部によって構成された開口が液晶表示パネルの外形の外側にあることから、液晶表示パネルの透明保護板との接合部に第２のつば部が重ならないので、液晶表示パネルの周縁部に第２のつば部に起因する応力が発生しにくいものとなる。さらに、第２のつば部と液晶表示パネルとの間に隙間があり、第２のつば部の熱膨張による変形等が液晶表示パネルに直接伝わらないので、液晶表示パネルの周縁部に第２のつば部に起因する応力がより発生しにくいものとなる。また、第２の枠体は、第２の側壁部が第１の枠体の第１の側壁部の係止部に係止されているので、第１の枠体及び第２の枠体が強固に固着されておらず、バックライト装置等の構成部品に熱膨張等が発生した際にそれを若干吸収して、第１の枠体及び第２の枠体に発生する応力を緩和することができる。また、液晶表示パネルとバックライト装置との間に隙間があるので、バックライト装置の発熱による熱膨張の影響を液晶表示パネルが直接受けないこととなる。従って、液晶表示パネルの周縁部に加わる応力を低減、解消してその表示品質が劣化することを抑えることができる。また、底部を有していない第１の枠体によってバックライト装置を保持できるので、軽量化及び薄型化された液晶表示装置となる。
【図面の簡単な説明】
【００１９】
【図１】図１（ａ），（ｂ）は、それぞれ本発明の液晶表示装置について実施の形態の１例を示す図であり、液晶表示装置の基本構成の断面図である。
【図２】図２（ａ），（ｂ）は、それぞれ本発明の液晶表示装置について実施の形態の他例を示す図であり、液晶表示装置の基本構成の断面図である。
【図３】図３は、本発明の液晶表示装置について実施の形態の他例を示す図であり、液晶表示装置の基本構成の断面図である。
【図４】図４は、従来の液晶表示装置の１例を示す図であり、液晶表示装置の基本構成の断面図である。
【発明を実施するための形態】
【００２０】
以下、本発明のＬＣＤの実施の形態について、図面を参照しながら説明する。但し、以下で参照する各図は、本発明のＬＣＤの実施の形態における構成部材のうち、本発明のＬＣＤを説明するための主要部を示している。従って、本発明に係るＬＣＤは、図に示されていない回路基板、配線導体、制御ＩＣ，ＬＳＩ等の周知の構成部材を備えていてもよい。
【００２１】
図１（ａ），（ｂ）は、それぞれ本発明のＬＣＤについて実施の形態の１例を示す図であり、ＬＣＤの基本構成の断面図である。図１に示すように、ＬＣＤは、一端が開口端とされている凹状の容器１と、その容器１の底面に載置され固定されたバックライト装置１２と、平面視で容器１の内側に伸びるとともに容器１の開口端を覆うつば部11cを有して容器１の側壁１ａの係止部１ｂに側壁部11aが取り付けられた枠体１１と、容器１の底面の端部に位置してつば部11cを支持する支持部材４と、バックライト装置１２側の面の中央部が液晶表示パネル５に接合されているとともに周縁部がつば部11cに接合されている透明保護板７と、を有しており、枠体１１は、平面視でつば部11cによって構成された開口が液晶表示パネル５の外形の外側にあり、液晶表示パネル５は、バックライト装置１２との間に隙間Ｇを有している構成である。
【００２２】
上記の構成により、以下のような効果を奏する。即ち、枠体１１は、平面視でつば部11cによって構成された開口が液晶表示パネル５の外形の外側にあることから、液晶表示パネル５の透明保護板７との接合部につば部11cが重ならないので、液晶表示パネル５の周縁部につば部11cに起因する応力が発生しにくいものとなる。さらに、つば部11cと液晶表示パネル５との間に隙間があり、つば部11cの熱膨張による変形等が液晶表示パネル５に直接伝わらないので、液晶表示パネル５の周縁部につば部11cに起因する応力がより発生しにくいものとなる。また、枠体１１は、側壁部11aが容器の１側壁１ａの係止部１ｂに係止されているので、枠体１１が容器１に強固に固着されておらず、バックライト装置１２等の構成部品に熱膨張等が発生した際にそれを若干吸収して、容器１及び枠体１１に発生する応力を緩和することができる。また、液晶表示パネル５とバックライト装置１２との間に隙間Ｇがあるので、バックライト装置１２の発熱による熱膨張の影響を液晶表示パネル５が直接受けないこととなる。従って、液晶表示パネル５の周縁部に加わる応力を低減、解消してその表示品質が劣化することを抑えることができる。
【００２３】
なお、液晶表示パネル５の表示側の面は、高透明性接着剤転写テープ（Optically  Clear  Adhesive  Tape  ：ＯＣＡ）等の透明な接合材６によって、ガラス板，アクリル板等から成る透明保護板７に接合されている。また、透明保護板７のバックライト装置１２側の面の周縁部は、必ずしも透明性を必要としない白色等の色合いの両面接着テープ等から成る接合材１０によって、つば部11cに接合されている。また好ましくは、透明保護板７のバックライト装置１２側の面の周縁部からつば部11cにかけて、黒色、黒褐色、紺色等の暗色系の色合いの遮光性樹脂等から成る遮光層８が形成されていることが良い。この場合、つば部11cを遮光部として用いる必要がなくなり、応力緩和に有利である。
【００２４】
液晶表示パネル５と透明保護板７とを接合する接合材６の厚みは、０．３ｍｍ以下であることが好ましい。この場合、１つの薄い接合材６によって液晶表示パネル５と透明保護板７を接合することが可能となる。また、薄型化されたＬＣＤとなる。なお、接合材６の厚みは０．１ｍｍ以上とすることがよい。０．１ｍｍ未満では、液晶表示パネル５が透明保護板７の変形の影響を受けやすくなる傾向がある。
【００２５】
接合材１０は、その厚みが透明な接合材６の厚み以上であることが好ましい。この場合、透明保護板７の周縁部、角部に集中しやすい応力、反りによる変形を、接合材１０によって吸収し緩和することが容易になる。また、接合材１０は、その硬さが透明な接合材６の硬さよりも軟質であることがよい。この場合、上記と同様の応力、変形の吸収、緩和の効果を有する。
【００２６】
また、突起から成る係止部１ｂが、側壁部11aに形成された貫通孔11bに挿入され係止されることによって、枠体１１が容器１に取り付けられる。この場合、係止部１ｂが側壁部11aにあり、貫通孔11bが側壁１ａにあってもよい。また、側壁１ａの内側面の側に側壁部11aがあってもよい。そして、容器１を側壁部11aの内側に下方から挿入して、係止部１ｂを貫通孔11bに係止させることによって、容器１と枠体１１が組み付けられる。
【００２７】
支持部材４は、アクリル樹脂，ポリイミド，ポリアミド，ポリイミドアミド，シリコーン樹脂，ポリウレタン等の樹脂材料から成る。この支持部材４は、稠密体であってもよいが、つば部11cに加わる応力の緩和、及び軽量化のために、内部に空洞を有する中空構造、表面に切欠部、凹部を有する切欠構造を有していることがよい。特に、図１（ｂ）に示すように、支持部材４４は、容器１の底面の端部に接する面及びつば部11cに接する面の少なくとも一方に、接触面積を小さくするための凹部を有していることが好ましい。この場合、支持体４４からつば部11cに加わる応力を低減することができる。特に、小型化のためにつば部11cの幅を小さくした場合に有利である。また、支持体４４が樹脂から成る場合であって、加熱後に冷却、硬化させて作製する樹脂製のものである場合、支持体４４が凹部のない稠密構造体であれば、表面に凹みが発生し、接触面にがたつきが生じやすい。支持部材４４が接触面積を小さくするための凹部を有している構成である場合、容器１の底面の端部に接する面、つば部11cに接する面に凹みが発生せず、接触面にがたつきが生じることが解消される。また、支持部材４は、枠状に形成された単一の支持枠体であってもよく、あるいは複数の部材から成っていてもよい。
【００２８】
支持部材４４は、容器１の底面の端部に接する面（接触面ａとする）及びつば部11cに接する面（接触面ｂとする）の少なくとも一方に、接触面積を小さくするための凹部を有している場合、平面視で凹部の開口の面積が接触面ａの面積（凹部がないとした場合の面積）の５０％以上であることがよい。この場合、接触面ａにがたつきが生じにくい傾向がある。また、平面視で凹部の開口の面積が接触面ｂの面積（凹部がないとした場合の面積）の５０％以上であることがよい。この場合、接触面ｂにがたつきが生じにくい傾向があるとともに、支持体４４からつば部11cに加わる応力を低減する効果が高まる。
【００２９】
液晶表示パネル５とバックライト装置１２との間の隙間Ｇは０．２５ｍｍ〜１ｍｍ程度であることがよい。０．２５ｍｍ未満では、バックライト装置１２の熱膨張による変形により、液晶表示パネル５とバックライト装置１２が接触する事態が生じる傾向がある。１ｍｍを超えると、ＬＣＤが大型化する傾向がある。
【００３０】
またバックライト装置１２は、位相差板、直線偏光板等を備えていてもよく、液晶表示パネル５は位相差板、直線偏光板、タッチパネル等を備えていてもよい。
【００３１】
本発明のＬＣＤは、図２（ａ），（ｂ）に示すように、支持部材１４,５４は隙間Ｇに入り込む延出部14a,54aを有しており、延出部14a,54aと液晶表示パネル５との間に緩衝部材９があることが好ましい。この場合、液晶表示パネル５が容器１内で移動すること、位置ずれを起こすことを防ぐとともに、液晶表示パネル５の周縁部に加わる応力を緩衝部材９によって極めて小さくすることができる。緩衝部材９は、シリコーン樹脂，ポリウレタン，発泡性ポリウレタン（ウレタンフォーム），マイクロセルポリマーシート等の低反発性樹脂、衝撃吸収性樹脂等から成る。緩衝部材９は、液晶表示パネル５に接触していてもよいが、わずかな隙間を有していてもよい。また緩衝部材９は、延出部14a,54aに接着され、液晶表示パネル５に接しているだけで非接着であってもよい。この場合、液晶表示パネル５に加わる応力をより低減することができる。
【００３２】
また本発明のＬＣＤは、図３に示すように、第１の側壁部15aの一端に平面視で内側に伸びる第１のつば部15cを有する第１の枠体１５と、第１のつば部15cに周縁部が載置され固定されて第１の側壁部15aに側面が対向しているバックライト装置１２と、平面視で第１の枠体１５の内側に伸びるとともに第１の枠体１５の他端側の開口端を覆う第２のつば部11cを有して第１の側壁部15aの係止部15bに第２の側壁部11aが係止された第２の枠体１１と、バックライト装置１２側の面の中央部が液晶表示パネル５に接合されているとともに周縁部が第２のつば部11cに接合されている透明保護板７と、を有しており、第２の枠体１１は、平面視で第２のつば部11cによって構成された開口が液晶表示パネル５の外形の外側にあり、液晶表示パネル５は、バックライト装置１２との間に隙間Ｇを有している構成である。
【００３３】
上記の構成により、以下のような効果を奏する。即ち、第２の枠体１１は、平面視で第２のつば部11cによって構成された開口が液晶表示パネル５の外形の外側にあることから、液晶表示パネル５の透明保護板７との接合部に第２のつば部11cが重ならないので、液晶表示パネル５の周縁部に第２のつば部11cに起因する応力が発生しにくいものとなる。さらに、第２のつば部11cと液晶表示パネル５との間に隙間があり、第２のつば部11cの熱膨張による変形等が液晶表示パネル５に直接伝わらないので、液晶表示パネル５の周縁部に第２のつば部11cに起因する応力がより発生しにくいものとなる。また、第２の枠体１１は、第２の側壁部11aが第１の枠体１５の第１の側壁部15aの係止部15bに係止されているので、第１の枠体１５及び第２の枠体１１が強固に固着されておらず、バックライト装置１２等の構成部品に熱膨張等が発生した際にそれを若干吸収して、第１の枠体１５及び第２の枠体１１に発生する応力を緩和することができる。また、液晶表示パネル５とバックライト装置１２との間に隙間Ｇがあるので、バックライト装置１２の発熱による熱膨張の影響を液晶表示パネル５が直接受けないこととなる。従って、液晶表示パネル５の周縁部に加わる応力を低減、解消してその表示品質が劣化することを抑えることができる。また、底部を有していない第１の枠体１５によってバックライト装置１２を保持できるので、軽量化及び薄型化されたＬＣＤとなる。
【００３４】
図３のＬＣＤにおいて、バックライト装置１２は、光学シート３と反対側の面にアルミニウム（Ａｌ）等の金属、合金等から成る保護板が設けられていてもよい。その場合、保護板は、バックライト装置１２を機械的に保護するとともに電磁的なシールド効果、放熱効果も有する。保護板の厚みはつば部15cの厚み以下であることがよく、その場合薄型化、軽量化に有利である。
【００３５】
なお、本発明のＬＣＤは、上記実施の形態に限定されるものではなく、適宜の設計的な変更、改良を含んでいてもよい。
【産業上の利用可能性】
【００３６】
本発明のＬＣＤは各種の電子機器に適用できる。その電子機器としては、自動車経路誘導システム（カーナビゲーションシステム）、船舶経路誘導システム、航空機経路誘導システム、スマートフォン端末、携帯電話、タブレット端末、パーソナルデジタルアシスタント（ＰＤＡ）、ビデオカメラ、デジタルスチルカメラ、電子手帳、電子書籍、電子辞書、パーソナルコンピュータ、複写機、ゲーム機器の端末装置、テレビジョン、商品表示タグ、価格表示タグ、産業用のプログラマブル表示装置、カーオーディオ、デジタルオーディオプレイヤー、ファクシミリ、プリンター、現金自動預け入れ払い機（ＡＴＭ）、自動販売機、ヘッドアップディスプレイ装置、プロジェクタ装置、デジタル表示式腕時計などがある。
【符号の説明】
【００３７】
１  容器
１ａ  側壁
１ｂ  係止部
２  導光板
３  光学シート
４，１４，４４，５４  支持部材
５  液晶表示パネル
６  透明な接合材
７  透明保護板
８  遮光層
１０  接合材
１１  枠体
１１ａ  側壁部
１１ｂ  貫通孔
１１ｃ  つば部
１４ａ，５４ａ  延出部
Ｇ  隙間
【図１】
2016099614.tif 000003
【図２】
2016099614.tif 000004
【図３】
2016099614.tif 000005
【図４】
2016099614.tif 000006